(57)【要約】      （修正有）【課題】横向きに延伸できる梯子の構造を提供する。【解決手段】少なくとも二本の支柱１０、それは少なくとも三本の直棒２０を具有する。相隣する二本の直棒の間に複数本の上から下に向けて排列する踏ざん３０を設けることで、該相隣する二本の直棒とその間に設ける複数本の踏ざんが一つの支柱を構成する。その中、各踏ざんの横向き両端にそれぞれ一つの第一枢軸４０を設け、且つそれぞれ各直棒と対応する位置に枢設することで、各踏ざんは該相隣する二本の直棒の間で同時に枢転することができ、折り畳み収納状態を形成する。その中、該少なくとも二本の支柱は、同時に展開することで、少なくとも二本の支柱を具有する横向き延伸幅及び範囲の展開使用状態を形成するのをセレクトするか、或いは、その中の各支柱を個別展開することで、単一の支柱を具有する横向き幅及び範囲の展開使用状態を形成するのをセレクトすることができ、よってユーザーが作業する際の作業範囲及び便利性をアップする。【選択図】図１
0003217644.tif 000002
【実用新案登録請求の範囲】
【請求項１】
少なくとも二本の支柱を含み、
該少なくとも二本の支柱は、少なくとも三本の直棒を具有し、該少なくとも三本の直棒に含まれるのは二本の外側直棒及び少なくとも一本の中間直棒を該二本の外側直棒の間に設け、相隣する二本の直棒の間に複数本の踏ざんを設け、上から下に向けて等間隔に水平に排列することで、該相隣する二本の直棒とその間に設ける複数本の踏ざんが一つの支柱を構成し、各踏ざんの横向き両端にそれぞれ一つの第一枢軸を設け、且つそれぞれ各直棒と対応する位置に枢設することで、各踏ざんは該相隣する二本の直棒の間で同時に枢転することができ、
各支柱の各踏ざんは該横向き両端の該第一枢軸を介し、該相隣する二本の直棒の間で枢転収納し、且つ折り畳んで一つの第一折り畳み収納状態を形成し、
各支柱の各踏ざんが該第一折り畳み収納状態を形成する際、該相隣する二本の直棒は、中間に向かって寄せることで、各支柱の横向き幅及び範囲を小さくし、
相隣する二本の直棒は、第一折り畳み収納状態から横向きに展開する際、各支柱の各踏ざんは、該横向き両端の該第一枢軸を介し、該相隣する二本の直棒の間において枢転して展開し、且つそれに介し、一つの展開使用状態に展開して形成し、
該少なくとも二本の支柱は、同時に展開することで、少なくとも二本の支柱を具有する横向き延伸幅及び範囲の展開使用状態を形成するのをセレクトするか、或いは、その中の如何なる一本の支柱を個別に展開することで、単一の支柱を具有する横向き幅及び範囲の展開使用状態を形成するのをセレクトすることができることを特徴とする横向きに延伸できる梯子の構造。
【請求項２】
前記各支柱の各踏ざんの中間部位に、更に一つの第二枢軸を設けることで、各踏ざんは該第一枢軸及び該第二枢軸の枢転を介し、該相隣する二本の直棒の間において、枢転収納することができ、且つそれにより更に第二折り畳み収納状態に折り畳んで形成することができることを特徴とする請求項１記載の梯子の構造。
【請求項３】
前記該少なくとも三本の直棒の中にある二本の外側直棒は、更にそれぞれ一つの縦方向凹槽を設け、且つ該縦方向凹槽の開口は、二本の直棒の間に設ける各踏ざんに向け、且つそれにより各踏ざんの横向き両端に設ける該第一枢軸を、該縦方向凹槽の前後二つのサイド壁に設け、
該少なくとも三本の直棒のうち、該少なくとも一本の中間直棒は、更にそれぞれ二つの反対側、且つ背中合わせの縦方向凹槽を設け、且つ二つの縦方向凹槽の開口は、それぞれ二本の直棒の間に設ける各踏ざんに向けることで、各踏ざんの横向き両端に設ける該第一枢軸を、各縦方向凹槽の前後二つのサイド壁に設け、
各踏ざんは第一枢軸或いは第二枢軸を介し、該相隣する二本の直棒の間を枢転し、枢転収納して折り畳むことで第一或いは第二折り畳み収納状態を形成する時、該相隣する二本の直棒を近づけて合わせることができ、且つ同時に各踏ざんは折り畳んで収納して且つ各凹槽内に埋設することができることを特徴とする請求項１から請求項２のいずれか一項に記載の梯子の構造。
【請求項４】
前記相隣する二本の支柱に設ける複数本の踏ざんの排列方法は、横向き水平延伸方法、或いは横向き入れ違い延伸方法を含むことを特徴とする請求項１記載の梯子の構造。
【請求項５】
各支柱に設ける各踏ざんは更に一つの斜め踏ざんがあり、該斜め踏ざんは一つの逆Ｕ字断面を具有するが、比較的短い一つの前足、一つの比較的長い後足及び一つの前に向かって傾斜角度をつける斜面を該前足と後足の頂端の間に連結することで、踏ざん面とし、
各支柱の各直棒を垂直に地面に立てる場合、各斜め踏ざんの斜面は、地面と一つの前向きに傾斜角度をつけた傾斜状態を形成し、各支柱の各直棒を傾斜して地面に立てかけて使用する際、各斜め踏ざんの斜面は、地面と水平状態を形成し、便利に踏むことができることを特徴とする請求項１から請求項４のいずれか一項に記載の梯子の構造。
【請求項６】
各踏ざんの横向両端に設ける該第一枢軸を各直棒の縦方向凹槽の前後二つのサイド壁に設ける時、該縦方向凹槽の前後二つのサイド壁にそれぞれ一つの前枢孔及び一つの後枢孔を設けることで、それぞれ該第一枢軸の一つの前末端及び一つの後末端に対応して枢設し、その中、該前枢孔は更に一つの瓢箪孔構造を形成し、一つの上穴及び一つの該上穴と連通する下穴を具有し、該上穴は、該後枢孔と各直棒にて同一の水平位置に位置することで、各第一枢軸の前末端は該前枢孔にて、上下向きに変位し、該上穴の中、或いは該下穴の中に位置することができ、
各踏ざんの第一枢軸の前末端が該前枢孔の上穴に位置し、該後末端が後枢孔と対応して位置する際、各踏ざんは、相隣する二本の直棒の間にて、同時に枢転収納し、第一或いは第二の折り畳み収納状態に形成することができ、
各支柱の各直棒を傾斜して地面に立てかけて使用し、各踏ざんの第一枢軸の前末端は、該前枢孔の上穴から下向きに該前枢孔に位置する下穴の中にまで変位することができ、それにより各踏ざんの踏ざん面と地面が水平状態を形成し、足で踏んで使用するのが便利になることを特徴とする請求項３記載の梯子の構造。
【請求項７】
前記各支柱に設ける各踏ざんは更に一つの逆Ｕ字の断面を具有し、一つの前足、一つの後足及び一つの踏ざん面を具有し、該前足と後足の頂端の間で連結して、足を掛けて使用する時は、該前足の前側面に更に一つの逆角面を設け、且つ該後足の後側面に更に一つの逆角面を設けることで、各踏ざんの第一枢軸の前末端はスムーズに前枢孔の上穴から下向きに該前枢孔の下穴の中、或いは逆向きに戻るよう変位することを特徴とする請求項６記載の梯子の構造。
【請求項８】
前記各直棒及び各踏ざんは更にアルミ押出成型体によって構成することを特徴とする請求項１記載の梯子の構造。
【考案の詳細な説明】
【技術分野】
【０００１】
本考案は一種の梯子の構造に関し、特に少なくとも二本の支柱、且つ各支柱の各踏ざんが相隣する二本の直棒の間で同時に枢転し、折り畳んで収納或いは展開する横向きに延伸できる梯子の構造に関する。
【背景技術】
【０００２】
梯子は日常生活において、頻繁に見かける補助ツールである。使用範囲は大変広く、主な目的は、ユーザーが個人の身長よりも高所で様々な作業、例えば屋根をデコレーション、ペンキ塗り、照明設備を交換、物品を収納するなどの時に使用する。目下の梯子の種類は一般的な梯子(斜めに立てかける型)或いはＡ字型梯子(前後二つの梯子の頂部を連結して組成し、該二つの梯子の底部を開いて地面を支える)ほか、更にデザイン性を兼ね備えて折り畳み収納機能或いは上向きに伸縮機能がある梯子もある。しかし、目下使用する梯子には単一の支柱のみ(即ち踏ざんの幅)を具有するため、１人しか登れず、ユーザーが毎回梯子に登った後の作業範囲(或いは幅)は大変制限される。高所での作業範囲(例えば横向きの距離)が比較的大きい場合、ユーザーは毎回の作業の際に、まず梯子を設置する位置を確定してから登り、うち一つの局部の範囲での作業をする。よって、全ての作業範囲は、常に数回の作業に分けてしか完成できず、ユーザーは絶えず降りて梯子を移動してからまた登って作業をすることになる。これでは作業時間が増えるだけでなく、ユーザーは梯子を昇り降りするため、体力を消耗する。この他、従来の梯子は１人のみ登ることができ、二人或いはそれ以上の人数が同時に梯子に登り、同じ高所にて作業をする場合(例えば２人で一緒に一つの物品を運ぶ際)、２人はそれぞれ一つの平行に配置した梯子を使用して完成するしかないなどのことを鑑みて、更なる改善が必要であった。
【先行技術文献】
【特許文献】
【０００３】
【特許文献１】特開2014-185501号公報
【考案の概要】
【考案が解決しようとする課題】
【０００４】
前記公知構造の欠点を解決するため、本考案は少なくとも三本の直棒を横向きに排列し、且つ相隣する二本の直棒の間に、複数本の踏ざんを設け、上から下に等間隔、水平に排列することで、少なくとも二本の支柱を構成する。その中、各踏ざんの横向きの両端には、更に第一枢軸を設け、且つ各直棒と対応する位置に枢設することで、各踏ざんは、相隣する二本の直棒の間で、同時に枢転し、折り畳んで収納或いは横向きに展開することで、有効的に従来の梯子が使用時に、１人しか登れず、且つ横向き作業の際に、範囲が大変制限される問題を解決し、且つ梯子の使用効率を上げる横向きに延伸できる梯子を提供することを主な課題とする。
【課題を解決するための手段】
【０００５】
前記課題を解決するために、本考案は横向きに延伸できる梯子の構造を提供するものである。それに含まれるのは、少なくとも二本の支柱であり、それは少なくとも三本の直棒を具有する。該少なくとも三本の直棒に含まれるのは二本の外側直棒及び少なくとも一本の中間直棒を該二本の外側直棒の間に設ける。その中、相隣する二本の直棒の間に複数本の踏ざんを設け、上から下に向けて等間隔に水平に排列することで、該相隣する二本の直棒とその間に設ける複数本の踏ざんが一つの支柱を構成する。その中、各踏ざんの横向き両端にそれぞれ一つの第一枢軸を設け、且つそれぞれ各直棒と対応する位置に枢設することで、各踏ざんは該相隣する二本の直棒の間で同時に枢転することができる。その中、各支柱の各踏ざんは該横向き両端の該第一枢軸を介し、該相隣する二本の直棒の間で枢転収納し、且つ折り畳んで一つの第一折り畳み収納状態を形成する。各支柱の各踏ざんが該第一折り畳み収納状態を形成する際、該相隣する二本の直棒は、中間に向かって寄せることで、各支柱の横向き幅及び範囲を小さくする。相隣する二本の直棒は、第一折り畳み収納状態から横向きに展開する際、各支柱の各踏ざんは、該横向き両端の該第一枢軸を介し、該相隣する二本の直棒の間において枢転して展開し、且つそれに介し、一つの展開使用状態に展開して形成する。該少なくとも二本の支柱は、同時に展開することで、少なくとも二本の支柱を具有する横向き延伸幅及び範囲の展開使用状態を形成するのをセレクトするか、或いは、その中の如何なる一本の支柱を展開することで、単一の支柱を具有する横向き幅及び範囲の展開使用状態を形成するのをセレクトすることができる。
【考案の効果】
【０００６】
本考案の構造により、ユーザーのニーズに基づき該少なくとも二本の支柱１０を同時に展開、或いはその中の如何なる一本或いはそれ以上の支柱１０を展開するのをセレクトすることができ、ユーザーの作業効率をアップさせる。また、本考案の梯子は少なくとも二本の支柱１０を具有し、２人或いはそれ以上のユーザーが同時或いは同歩に登ることができ、梯子の使用効率をアップさせる。
【図面の簡単な説明】
【０００７】
【図１】本考案の第１実施例の全て展開した状態の正面略図である。
【図２】図１の半分折り畳んだ状態の正面略図である。
【図３】図２の完全に折り畳んだ状態の正面略図である。
【図４】本考案の第２実施例の全て展開した状態の正面略図である。
【図５】図４の半分折り畳んだ状態の正面略図である。
【図６】図４の完全に折り畳んだ状態の正面略図である。
【図７】本考案の第３実施例の全て展開した状態の正面略図である。
【図８】図７の半分折り畳んだ状態の正面略図である。
【図９】図７の完全に折り畳んだ状態の正面略図である。
【図１０】本考案の第４実施例の全て展開した状態の正面略図である。
【図１１】図１０の半分折り畳んだ状態の正面略図である。
【図１２】図１０の完全に折り畳んだ状態の正面略図である。
【図１３】図１及び図４の上視略図である。
【図１４】図７及び図１０の上視略図である。
【図１５】図１に示す実施例を壁に斜めに立てかけて使用する立体略図である。
【図１６】図７に示す実施例を壁に斜めに立てかけて使用する立体略図である。
【図１７】本考案のＡ字型梯子の一つの実施例の立体略図である。
【図１８】本考案のＡ字型梯子の別の実施例の立体略図である。
【図１９】図７の局部拡大略図である。
【図２０】図８の局部拡大略図である。
【図２１】本考案の踏ざんの一つの実施例の側面断面局部拡大略図である。
【図２２】図２１にある直棒が斜めに立てかけた時の略図である。
【図２３】本考案の踏ざんの別の実施例の側面断面局部拡大略図である。
【図２４】図２３の左側略図である。
【図２５】図２３の右側略図である。
【図２６】図２３の直棒が斜めに立てかけた時の略図である。
【図２７】図２６の左側略図である。
【図２８】図２６の右側略図である。
【考案を実施するための形態】
【０００８】
従来技術の梯子には一般的な梯子(斜めに立てかけて使用する梯子)、Ａ字型梯子などを含む。しかし、梯子の種類は本考案の訴求したいポイントではなく、梯子が具有する、横向きに延伸できる技術特徴のみに基づいて説明をする。
【実施例】
【０００９】
図１から図１８に示すのは、本考案の一種の横向きに延伸できる梯子１である。それに含まれるのは、少なくとも二本の支柱１０(図式ではいずれも三本の支柱１０を例に説明するが、それによって制限されない)である。該少なくとも二本の支柱１０は少なくとも三本の直棒２０によって構成される(図式ではいずれも四本の直棒２０を例に説明するが、それによって制限されない)。該少なくとも三本の直棒２０に含まれるのは、二本の外側直棒２１及び、少なくとも一本の中間直棒２２(図式では、二本の中間直棒２２を含む)を、該二つの外側直棒２１の間に設ける。その中、相隣する二本の直棒２０の間に、複数本の踏ざん３０を、上から下に向けて等間隔に水平に排列することで、該相隣する二本の直棒２０とその間に設ける複数本の踏ざん３０で一本の支柱１０を構成する。その中、各踏ざん３０の横向き両端３１にそれぞれ一つの第一枢軸４０を設け、且つそれぞれ各直棒２０と対応する位置に枢設することで、各踏ざん３０が該相隣する二本の直棒２０の間で、同時に枢転する。図２、図５、図８及び図１１に示す通り。
【００１０】
各支柱１０の各踏ざん３０は、該横向き両端３１の第一枢軸４０を介し、相隣する二本の直棒２０の間で枢転して収納し、それにより図３、図６に示すように、第一折り畳み収納状態を形成するよう折り畳む。その時、該相隣する二本の直棒２０は、中間に向かって寄せることで、各支柱１０の横向き幅及び範囲を小さくし、運搬体積を小さくすることができる。
【００１１】
相隣する二本の直棒２０は、第一折り畳み収納状態から横向きに展開する際、各支柱１０の各踏ざん３０は、該横向き両端３１の該第一枢軸４０を介し、該相隣する二本の直棒２０の間において枢転して展開し、且つそれに介し、図１、図４、図７及び図１０に示すように、一つの展開使用状態に展開して形成する。
【００１２】
この他、図１、図４、図７及び図１０に示すように、該少なくとも二本の支柱１０は、同時に展開することで、少なくとも二本の支柱１０を具有する横向き延伸幅(範囲)の展開使用状態を形成するのをセレクトするか、或いは、その中の一本の支柱１０が個別に展開することで、単一の支柱１０を具有する横向き幅(範囲)の展開使用状態(図に未掲載)を形成するのをセレクトすることができる。
【００１３】
図７から図１２に示すように、各支柱の各踏ざん３０の中間部位に、更に第二枢軸５０を設けるが、それによって制限されず、それにより、各踏ざん３０は該第一枢軸４０及び該第二枢軸５０の枢転を介し、該相隣する二本の直棒２０の間において、枢転収納することができ、且つそれにより更に第二折り畳み収納状態に折り畳んで形成することができる。図９、図１２に示す通り。
【００１４】
図１、図７及び図１３から図１８に示すように、該少なくとも三本の直棒２０の中にある二本の外側直棒２１は、更にそれぞれ一つの縦方向凹槽６０を設け、且つ該縦方向凹槽６０の開口は、二本の直棒２０の間に設ける各踏ざん３０に向ける。且つそれにより各踏ざん３０の横向き両端３１に設ける該第一枢軸４０を、該縦方向凹槽６０の前後二つのサイド壁に設ける(ここにある前サイド壁とは、ユーザーが梯子を登る側を指す)。その中、該少なくとも三本の直棒２０のうち、該少なくとも一本の中間直棒２２は、更にそれぞれ二つの反対側、且つ背中合わせの凹槽７０を設け、且つ二つの凹槽６０の開口は、それぞれ二本の直棒の間に設ける各踏ざん３０に向けることで、各踏ざん３０の横向き両端３１の該第一枢軸４０を、各縦方向凹槽７０の前後二つのサイド壁に設ける。図３、図６、図９及び図１２に示すように、各踏ざん３０は第一枢軸４０或いは第二枢軸５０を介し、該相隣する二本の直棒２０の間を枢転し、枢転収納して折り畳むことで第一或いは第二折り畳み収納状態を形成する時、該相隣する二本の直棒２０を近づけて合わせることができ、且つ同時に各踏ざん３０は折り畳んで収納して且つ各凹槽６０、７０内に埋設することができるため、更に各支柱１０の折り畳み収納効果をアップすることができる。
【００１５】
この他、相隣する二本の支柱１０の間において、各支柱１０に設ける複数本の踏ざん３０の排列方法は下記の通りを含む：図１−３或いは図７−９に示すような横向き水平の延伸方法、或いは図４−６或いは図１０−１２に示すような横向き入れ違い延伸方法、或いは横向き水平延伸方法或いは入れ違い延伸方法の組合せとし、それを制限しない。
【００１６】
図２１、２２に示すように、各支柱１０に設ける各踏ざん３０は更に一つの斜め踏ざん３０ａにデザインする。該斜め踏ざん３０ａは一つの逆Ｕ字断面を具有するが、比較的短い一つの前足３０１、一つの比較的長い後足３０２及び一つの前に向かって傾斜角度をつける斜面３０３を該前足と後足の頂端の間に連結することで、踏ざん面とする。各支柱１０の各直棒２０を垂直に地面に立てる場合、各斜め踏ざん３０ａの斜面３０３は、図２１に示すように、地面と一つの前向きに傾斜角度をつけた傾斜状態を形成する。各支柱１０の各直棒２０を傾斜して地面に立てかけて(例えば壁に斜めに立てかけるが、それによって制限しない)使用する際、各斜め踏ざん３０ａの斜面３０３は、地面と水平状態を形成してユーザーが便利に踏むことができる。
【００１７】
図２３−図２８に示すように、各踏ざん３０の横向両端３１に設ける該第一枢軸４０を各直棒２１(２２)の縦方向凹槽６０(７０)の前後二つのサイド壁に設ける時(ここでの前サイド壁とは、ユーザーが梯子を登る側を指す)、該縦方向凹槽７０の前サイド壁に一つの前枢孔８０ａ、後サイド壁に一つの後枢孔８０を設けることで、それぞれ該第一枢軸４０の一つの前末端４１及び一つの後末端４２に対応して枢設する。その中、該前枢孔８０ａは更に一つの瓢箪孔構造を形成し、一つの上穴８１及び一つの該上穴８１と連通する下穴８２を具有する。その中、該上穴８１は、該後枢孔８０と各直棒２１、２２にて同一の水平位置(図２３−２５に示す通り)に位置することで、各第一枢軸４０の前末端４１は該前枢孔８０ａにて、上下向きに変位し、該上穴８１の中、或いは該下穴８２の中に位置することができる(図２４、図２７に示す通り)。各踏ざん３０の第一枢軸４０の前末端４１が該前枢孔８０ａの上穴８１に位置し、該後末端４２が後枢孔８０と対応して位置する際(図２３−図２５に示す通り)、各踏ざん３０は、相隣する二本の直棒２０の間にて、同時に枢転収納し、第一或いは第二の折り畳み収納状態に形成することができる。各支柱１０の各直棒２０を傾斜して地面に立てかけて使用し(図２６−図２８に示す通り)、且つ各踏ざん３０がユーザーの踏む力を受けて(図２６の矢印Ａに示す通り)、各踏ざん３０の第一枢軸４０の前末端４１は、該前枢孔８０ａの上穴８１から下向きに該前枢孔８０ａに位置する下穴８２の中に二本の直棒２０は、近づけまで変位することができ、それにより各踏ざん３０の踏ざん面と地面が水平状態を形成し、ユーザーが足で踏んで使用するのが便利になる。
【００１８】
図２３、図２６に示すように、各踏ざん３０は更に一つの逆Ｕ字の断面を具有し、一つの前足３０４、一つの後足３０５及び一つの踏ざん面３０６を具有し、該前足と後足の頂端の間で連結して、足を掛けて使用する時は、該前足３０４の前側面に更に一つの逆角面３０４ａを設け、且つ該後足３０５の後側面に更に一つの逆角面３０５ａを設けることで、各踏ざん３０の第一枢軸４０の前末端４１はスムーズに前枢孔８０ａの上穴８１から下向きに下穴８２の中、或いは逆向きに戻るよう変位することができる。即ち、逆角面３０４ａ及び逆角面３０５ａのデザインを介し、各踏ざん３０が変位を行う際、該縦方向凹槽７０の前後の二つのサイド壁を塞ぎ、スムーズに変位できないのを避けることができる。
【００１９】
本考案の各直棒２０及び各踏ざん３０は更にいずれもアルミの押出成型体で構成するが、それによって制限されず、それにより梯子の軽量化且つ剛性を具有するメリットに達する。
【００２０】
上記の構造により、本考案の梯子は下記のメリットを具有する：
【００２１】
１、本考案の梯子は少なくとも二本の支柱１０を具有し、ユーザーのニーズに基づき該少なくとも二本の支柱１０を同時に展開、或いはその中の如何なる一本或いはそれ以上の支柱１０を展開するのをセレクトすることができ、ユーザーの作業効率をアップさせる。
【００２２】
２、本考案の梯子は少なくとも二本の支柱１０を具有し、２人或いはそれ以上のユーザーが同時或いは同歩に登ることができ、梯子の使用効率をアップさせる。
【００２３】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２４】
１  梯子
２  直立壁
１０  支柱
２０  直棒
２１  外側直棒
２２  中間直棒
３０  踏ざん
３０ａ  斜め踏ざん
３０１  前足
３０２  後足
３０３  斜面
３０４  前足
３０４ａ  逆角面
３０５  後足
３０５ａ  逆角面
３０６  踏ざん面
３１  端
４０  第一枢軸
４１  前末端
４２  後末端
５０  第二枢軸
６０  凹槽
７０  凹槽
８０ａ  前枢孔
８０  後枢孔
８１  上穴
８２  下穴
【図１】
0003217644.tif 000003
【図２】
0003217644.tif 000004
【図３】
0003217644.tif 000005
【図４】
0003217644.tif 000006
【図５】
0003217644.tif 000007
【図６】
0003217644.tif 000008
【図７】
0003217644.tif 000009
【図８】
0003217644.tif 000010
【図９】
0003217644.tif 000011
【図１０】
0003217644.tif 000012
【図１１】
0003217644.tif 000013
【図１２】
0003217644.tif 000014
【図１３】
0003217644.tif 000015
【図１４】
0003217644.tif 000016
【図１５】
0003217644.tif 000017
【図１６】
0003217644.tif 000018
【図１７】
0003217644.tif 000019
【図１８】
0003217644.tif 000020
【図１９】
0003217644.tif 000021
【図２０】
0003217644.tif 000022
【図２１】
0003217644.tif 000023
【図２２】
0003217644.tif 000024
【図２３】
0003217644.tif 000025
【図２４】
0003217644.tif 000026
【図２５】
0003217644.tif 000027
【図２６】
0003217644.tif 000028
【図２７】
0003217644.tif 000029
【図２８】
0003217644.tif 000030